(57)【要約】【課題】フェライトコア８１と１次巻き線８２と２次巻き線８３とを有する高圧放電ランプに対する点弧電圧を生成するための、車両用ヘッドライトに使用するのに適している変圧器を提供する。【解決手段】少なくとも１つの２次巻き線８３は金属ストリップ８４によって形成され、該金属ストリップは、少なくとも１つの２次巻き線８３の高電圧を導く端部８３１が内部に来るように配置されている仕方でフェライトコア８１に配置されている。このような変圧器を持った点弧装置および高圧放電ランプも提供される。所望の点弧電圧に関して２次巻き線８３の有利な直流電流抵抗は０．５Ω以下である。【選択図】図１
2006080532.tif 000002
【特許請求の範囲】
【請求項１】
フェライトコア（８１）と少なくとも１つの１次巻き線（８２）と少なくとも１つの２次巻き線（８３）とを有する高圧放電ランプに対する点弧電圧を生成するための変圧器（８）において、
少なくとも１つの２次巻き線（８３）は金属ストリップ（８４）によって形成され、該金属ストリップは、少なくとも１つの２次巻き線（８３）の高電圧を導く端部（８３１）が内部に来るように配置されている仕方でフェライトコア（８１）に配置されている
ことを特徴とする変圧器。
【請求項２】
少なくとも１つの２次巻き線（８３）の第１の端部（８３２）は少なくとも１つの１次巻き線（８２）の第１の端部（８２２）に接続されておりかつ少なくとも１つの２次巻き線（８３）の第２の端部（８３１）は高電圧を導く端部である
請求項１記載の変圧器。
【請求項３】
少なくとも１つの２次巻き線（８３）はフェライトコア（８１）のシリンダ状部分（８１１０）に配置されており、ここで少なくとも１つの２次巻き線（８３）の巻き取り軸線はシリンダ状部分（８１１０）のシリンダ軸線にありかつ少なくとも１つの２次巻き線（８３）の高電圧を導く端部（８３１）は該シリンダ状部分（８１１０）に隣接している、少なくとも１つの２次巻き線（８３）の内側の巻きに接続されている
請求項１または２記載の変圧器。
【請求項４】
少なくとも１つの２次巻き線（８３）の第１の端部は外側の巻きに配置されている
請求項２または３記載の変圧器。
【請求項５】
少なくとも１つの２次巻き線（８３）は複数の層において重ねて配置されており、ここで隣接する層もしくは巻きは電気的に絶縁性の材料（８６）によって分離されている
請求項１から４までのいずれか１項記載の変圧器。
【請求項６】
電気的に絶縁性の材料は合成樹脂ストリップ（８６）である
請求項５記載の変圧器。
【請求項７】
合成樹脂ストリップ（８６）の幅は金属ストリップ（８４）の幅より大きくかつ合成樹脂ストリップ（８６）は金属ストリップ（８４）を両方の長手方向縁で突出している
請求項６記載の変圧器。
【請求項８】
少なくとも１つの２次巻き線（８３）の直流電流抵抗は０．５Ωより小さいかまたは０．５Ωに等しい
請求項１記載の変圧器。
【請求項９】
フェライトコアはポットコア（８）として実現されている
請求項１から８までのいずれか１項記載の変圧器。
【請求項１０】
請求項１から９までのいずれか１項記載の変圧器を備えている高圧放電ランプ（１）用点弧装置。
【請求項１１】
請求項１から９までのいずれか１項記載の変圧器（８）がランプベース（７）内に配置されている高圧放電ランプ。
【請求項１２】
変圧器（８）のポットコア（８１）は中空シリンダとして実現されている、ポットコアの内部空間に配置されている部分（８１１０）を有しており、該部分の内径は中空シリンダ（８１１０）に突入している、発光管（３）のベース側の端部（３１）の外径より大きい
請求項１１記載の高圧放電ランプ。
【請求項１３】
少なくとも１つの２次巻き線（８３）は中空シリンダ部分（８１１０）に配置されている
請求項１２記載の高圧放電ランプ。
【請求項１４】
少なくとも１つの２次巻き線（８３）の高電圧を導く端部（８３１）は発光管（３）のベース側の端部（３１）から突出している電流供給線（４１）に接続されている
請求項１２または１３記載の高圧放電ランプ。
【請求項１５】
変圧器（８）は電気的に絶縁性の鋳込み成型材（１０）に埋め込まれている
請求項１１から１４までのいずれか１項記載の高圧放電ランプ。
【請求項１６】
ランプベース（７）内にマウント回路板（１１）が配置されており、該マウント回路板の上には高圧放電ランプ（１）用の点弧装置の電気的な部品（１２）がマウントされておりかつコンタクト形成されている
請求項１１から１５までのいずれか１項記載の高圧放電ランプ。
【請求項１７】
変圧器（８）とマウント回路板（１１）との間にコンタクトピン（９０）を備えている支持プレート（９）が配置されており、ここでコンタクトピン（９０）はそれぞれ、少なくとも１つの１次巻き線（８２）の端部（８２１，８２２）に接続されておりかつマウント回路板（１１）上の電気的なコンタクトに接続されている
請求項１６記載の高圧放電ランプ。
【請求項１８】
車両用ヘッドライトのメタルハライド高圧放電ランプとして実現されている
請求項１７記載の高圧放電ランプ。
【請求項１９】
ランプベースと、ランプベースの内部空間に配置されている、高圧放電ランプ用点弧電圧を生成するための変圧器とを備え、該変圧器が少なくとも１つの２次巻き線を有しているという、車両用ヘッドライトのための高圧放電ランプ、例えばメタルハライド高圧放電ランプにおいて、
少なくとも１つの２次巻き線（８３）の直流電流抵抗は０．５Ω以下であるかまたは０．５Ωに等しい
ことを特徴とする高圧放電ランプ。
【請求項２０】
変圧器（８）の少なくとも１つの２次巻き線（８３）は金属ストリップ（８４）によって形成される
請求項１９記載の高圧放電ランプ。
【請求項２１】
少なくとも１つの２次巻き線（８３）の第１の端部（８３２）は変圧器（８）の１次巻き線（８２）の端部（８２２）に接続されておりかつ少なくとも１つの２次巻き線（８３）の第２の端部（８３１）は高電圧を導く端部として実現されている
請求項１９または２０記載の高圧放電ランプ。
【請求項２２】
少なくとも１つの２次巻き線（８３）は変圧器（８）のフェライトコア（８１）のシリンダ状部分（８１１０）に配置されている
請求項１９から２１までのいずれか１項記載の高圧放電ランプ。
【発明の詳細な説明】
【技術分野】
【０００１】
本発明は、請求項１の上位概念に記載の、すなわちフェライトコアと少なくとも１つの１次巻き線と少なくとも１つの２次巻き線とを有する高圧放電ランプに対する点弧電圧を生成するための変圧器およびこの形式の変圧器を備えている点弧装置並びに高圧放電ランプに関する。
【背景技術】
【０００２】
この形式の変圧器は例えば公開番号ＷＯ００／５９２６９を有する国際特許出願において公開されている。この公開公報には、ランプベースに１次巻き線および２次巻き線を有するリングコア変圧器が配置されている高圧放電ランプが記載されている。リングコア変圧器は高圧放電ランプにおけるガス放電の点弧のための点弧装置の構成部分である。
【特許文献１】ＷＯ００／５９２６９
【発明の開示】
【発明が解決しようとする課題】
【０００３】
本発明の課題は、高圧放電ランプに対する点弧変圧器として一段と適している変圧器を提供することである。
【課題を解決するための手段】
【０００４】
この課題は本発明によれば請求項１の特徴部分に記載の構成を有する変圧器によって解決される。本発明の特別有利な形態は従属請求項に記載されている。
【０００５】
本発明の変圧器は、少なくとも１つの１次巻き線と少なくとも１つの２次巻き線とを有するフェライトコアを有しており、ここで少なくとも１つの２次巻き線は金属ストリップによって形成され、該金属ストリップは、少なくとも１つの２次巻き線の高電圧を導く端部が内部に来るように配置されている仕方でフェライトコアに配置されている。
【０００６】
少なくとも１つの２次巻き線を金属ストリップとして実現することによって変圧器の空間的にコンパクトな構造が可能になり、その結果この変圧器は車両用ヘッドライトの高圧放電ランプのランプベースの内部空間に場所を得る。この金属ストリップにより更に、非常に僅かな直流電流抵抗を有する２次巻き線を構成することが可能になる。少なくとも１つの２次巻き線の高電圧を導く端部が内部に来るように配置されているので、本発明の変圧器により、高電圧を導く端部の一層良好なアイソレーションおよび少なくとも１つの２次巻き線の高電圧を導く端部の、１次巻き線からの一層良好なアイソレーションが可能にある。更に本発明の変圧器は少なくとも１つの２次巻き線の高電圧を導く端部のこの内部にある配置により、発光管のベース側の端部から導き出されている電流供給線とのコンタクト形成に対して用意される。というのは、電流供給線は近似的に、高圧放電ランプの長手軸線に延在しているからである。
【０００７】
本発明の変圧器のできるだけコンパクトな構造を保証するために、オートトランスの場合と類似して、少なくとも１つの２次巻き線の第１の端部は少なくとも１つの１次巻き線の１つの端部に接続されておりかつ少なくとも１つの２次巻き線の第２の端部が上に述べた高電圧を導く端部である。これにより１次および２次巻き線の相互に接続されている端部は同一の電位にある。有利には少なくとも１つの１次巻き線は少なくとも１つの２次巻き線に配置されており、その結果２つのこれらの変圧器巻き線の相互接続されている端部および少なくとも１つの１次巻き線の他方の端部も外側に配置されている。それ故に少なくとも１つの２次巻き線の上に述べた第１の端部は有利には外側の巻きに配置されている。これにより少なくとも１つの２次巻き線の高電圧を導く端部は少なくとも１つの１次巻き線の端部からの空間的な分離が実現される。この空間的な配置は、少なくとも１つの２次巻き線がフェライトコアのシリンダ状部分に配置されており、ここで少なくとも１つの２次巻き線の巻き取り軸線がシリンダ状部分のシリンダ軸線にありかつ少なくとも１つの２次巻き線の高電圧を導く端部が該シリンダ状部分に隣接している、少なくとも１つの２次巻き線の内側の巻きに配置されていることによって有利な仕方で実現することができる。有利には、少なくとも１つの２次巻き線は複数の層において重ねて配置されており、ここで隣接する２つの層もしくは巻きは電気的に絶縁性の材料によって分離されている。これにより、巻き間の電気的な短絡が回避されかつ２つの隣接する巻きもしくは層の間には作動期間中に変圧器によって発生される高電圧の僅かな部分しか加わらない。絶縁材料として有利には、少なくとも１つの２次巻き線の金属ストリップと一緒に本発明の変圧器のロッドまたは巻き型に巻回することができる合成樹脂ストリップが使用される。合成樹脂ストリップの幅は上に述べた金属ストリップの幅より大きくかつ合成樹脂ストリップは金属ストリップを両方の長手方向縁で突出していて、少なくとも１つの２次巻き線の巻きもしくは層間の電気的な短絡が妨げられるようにしている。
【０００８】
本発明の変圧器の少なくとも１つの２次巻き線は有利には、その直流電流抵抗が０．５Ωより小さいかまたは０．５Ωに等しいように実現されている。これにより本発明の変圧器は、車両用ヘッドライトにおいて使用される、３５Ｗの定格電力を有する水銀レスメタルハライド高圧放電ランプに対する点弧変圧器としての使用にも適している。図６の測定曲線ＡおよびＢにおいて、ランプ作動期間に２次巻き線にランプ電流が流れるときの、本発明の変圧器を有する点弧装置において発生する、水銀レスメタルハライド高圧放電ランプに対する損失電力の時間的経過特性（曲線Ａ）と、従来の変圧器を有する点弧装置において発生する、水銀レスメタルハライド高圧放電ランプに対する損失電力の時間的経過特性（曲線Ｂ）とが比較のために示されている。本発明の変圧器の２次巻き線は僅か０．５Ωしか有しておらず、一方従来の変圧器の２次巻き線の直流電流抵抗は２．０Ωである。損失電力は本発明の変圧器を有する点弧装置では従来の変圧器を有する点弧装置の損失電力の１／４でしかない。比較のために図６の測定曲線Ｃにおいて、上に述べた従来の変圧器を有する点弧装置において発生する、水銀含有メタルハライド高圧放電ランプに対する損失電力の時間経過特性も図示されている。測定曲線ＡおよびＣの比較から、水銀レスメタルハライド高圧放電ランプの作動の際に点弧装置における損失電力を水銀含有メタルハライド高圧放電ランプの作動時に発生する損失電力のレベルに低減するために、ランプ電流が流れる２次巻き線の直流電流抵抗は通常の値の２５％に低減されなければならない。
【０００９】
電力消費を同じとした場合、水銀レスメタルハライド高圧放電ランプは、図９の測定曲線ＤおよびＥから明らかであるように、水銀含有メタルハライド高圧放電ランプより著しく高いランプ電流を有している。測定曲線ＤもしくはＥは水銀レスメタルハライド高圧放電ランプもしくは水銀含有メタルハライド高圧放電ランプに対するランプ電流の時間経過特性を示している。比較的高いランプ電流に基づいて、ランプ電流が流れる、変圧器の２次巻き線における損失も相応に高い。
【００１０】
図７および８はこれらのランプに対して消費電力および動作電圧の比較を示している。図７には上で述べた水銀レスメタルハライド高圧放電ランプに対する消費電力の時間経過特性（測定曲線Ｆ）および水銀含有メタルハライド高圧放電ランプに対する消費電力の時間経過特性（測定曲線Ｇ）が図示されている。始動相の期間、水銀レスメタルハライド高圧放電ランプは水銀含有メタルハライド高圧放電ランプより高い消費電力を有している。始動相の終了後、消費電力はこれら２つのランプとも約３５Ｗに相応する。図８にはこれらランプの動作電圧の時間経過特性が示されている。水銀含有メタルハライド高圧放電ランプ（測定曲線Ｋ）は水銀レスメタルハライド高圧放電ランプ（測定曲線Ｌ）より高い動作電圧を有している。
【００１１】
本発明の変圧器は有利には、それが帰磁路を有していて、変圧器の磁界と高圧放電ランプの金属部分、例えばランプベースを取り囲んでいる、電磁遮蔽として用いられる金属ケーシングまたは車両用ヘッドライトの金属部分との相互作用が低減されるように実現されている。それ故に有利には本発明の変圧器のフェライトコアはポットコアとして実現されている。これにより変圧器の巻き線はフェライト材料にほぼ取り囲まれておりかつ外方向に向かって作用する、変圧器の漂遊磁界は僅かである。
【００１２】
本発明の変圧器は上で説明した特長に基づいて高圧放電ランプ、殊に３５Ｗの定格電力を有する車両用ヘッドライトに使用されるメタルハライド高圧放電ランプ用点弧装置における点弧変圧器として適している。
【００１３】
有利には本発明の変圧器は高圧放電ランプ、殊に車両用ヘッドライトに対するメタルハライド高圧放電ランプのランプベースの内部空間に配置されている。変圧器は点弧装置、例えば高圧放電ランプのパルス点弧装置の構成部分として実現されている。更に有利には、点弧装置の別の電気的な部品もランプベースの内部空間に収容されている。
【００１４】
本発明の高圧放電ランプ、有利には車両用ヘッドライトに対するメタルハライド高圧放電ランプはランプベースの内部空間に配置されている、点弧電圧を生成するための変圧器を有しており、その際変圧器は少なくとも１つの２次巻き線を有しており、その直流電流抵抗は０．５Ω以下であって、上述した、点弧装置における損失電力が低減されるようになっている。
【００１５】
本発明の高圧放電ランプの特別有利な実施形態によれば、そのランプベースに本発明の変圧器が収容されており、そのフェライトコアはポットコアとして実現されており、ここでポットコアはポットコアの内部空間に配置されている中空シリンダ状部分を有しており、該部分の内径は中空シリンダ部分に突入している、高圧放電ランプの発光管のベース側の端部の外径より大きい。これにより、ランプ容器および変圧器のスペース節約型の配置が実現される。更に、発光管のベース側の端部はそこを通っている、ランプのベース側の電流供給線に対するアイソレーション部として用いられる。変圧器の少なくとも１つの２次巻き線は同じ理由から有利にはポットコアの中空シリンダ部分またはこの部分を取り囲んでいる巻き型に配置されている。変圧器の少なくとも１つの２次巻き線の高電圧を導く端部は有利には、高圧放電ランプの上述したベース側の電流供給線に接続されている。これにより、ランプの申し分ない高電圧アイソレーションが保証される。殊にこれにより、ランプの容器によってほぼ完全に取り囲まれている、ベース側の電流供給線にだけ点弧電圧が供給されかつ高電圧を導く部分はポットコア内に配置されている。ランプベースに配置されている変圧器は電気的に絶縁性の鋳込み成型材に埋め込まれている。これにより一方において、巻き線もしくは巻き線の巻き間の電気的なアイソレーションが改善されかつ他方においてポットコアの２つの半部も固定の間隔を置いて相互に固定される。
【００１６】
変圧器と点弧装置の別の電気的な部品とのコンタクト形成を容易にするために、金属のコンタクトピンを備えている支持プレートが設けられており、その際コンタクトピンはそれぞれ、少なくとも１つの１次巻き線の端部に接続されている。支持プレートは電気的に絶縁性の材料から成っておりかつ変圧器の外側に固定されている。これも同様に、上に述べた鋳込み成型材に埋め込まれていてよい。コンタクトピンにより、上に有利な仕方で点弧装置のその他の部品がマウントされておりかつコンタクト形成できるようになっているマウント回路板の電気的な接続端子とのプラグイン接続が可能になる。これにより、上に点弧装置の別の部品が固定されているマウント回路板は完成したモジュールとしてランプベースに挿入されかつ上述した、変圧器とのプラグイン接続によりコンタクト形成することができる。
【実施例】
【００１７】
次に本発明を図示の実施例につき図面を用いて詳細に説明する。
【００１８】
図１に示されている本発明の実施例は車両のヘッドライトに使用するように設定されている、３５Wの定格電力を有する水銀レスメタルハライド高圧放電ランプである。
【００１９】
ランプ１は外管２によって取り囲まれている、両側がシールされている発光管３を有している。発光管にはイオン化可能な充填物並びにガス放電を生成するための２つの電極４，５が配置されている。ランプ容器２，３は石英ガラスから成りかつ合成樹脂から成るランプベース７のリング状のフランジ６に固定されている。電極４，５は発光管３から導出されている電流供給線４１，５１にそれぞれ接続されている。発光管３の、ベースとは反対側の端部から導出されている電流供給線５１はランプベース７に供給される電流戻り線５２を介してランプベース７の電気的な接続部７１にコンタクト接続されている。ランプベース７の内部空間に、ポットコアとして実現されているフェライトコア８１およおび１次巻き線８２並びに２次巻き線８３を有する変圧器８が配置されている。変圧器８はオートトランス（単巻変圧器）として実現されている、すなわち２次巻き線８３の端部８３２は１次巻き線８２の端部８２２に接続されている。ポットコア８１はランプベース７に上下に配置されている、ギャップを介して分離されている２つの同一の半部８１１，８１２を有している。２つの半部８１１，８１２はそれぞれ、ポットコアの内部空間に突出している、シリンダ状の部分８１１０もしくは８１２０を有している。上半部８１１のシリンダ状部分８１１０は中空シリンダとして実現されており、その内径は発光管３のベース側の端部３１の外形より大きい。発光管３のベース側の端部３１はポットコア８の中空シリンダ部分８１１０に突入している。発光管３のベース側の端部３１から突出している電流供給線４１は高電圧を導く、２次巻き線８３の端部８３１に溶接されている。端部８３１と電流供給線４１とのこの溶接接続はシリンダ状部分８１１０，８１２０間のギャップに配置されている。１次巻き線８２の２つの端部８２１，８２２はそれぞれ、支持プレート９に配置されている金属のコンタクトピン９０に接続されている。指示プレート９は合成樹脂から成っておりかつポットコア８１の下半部８１２の下面に配置されている。これは変圧器８と一緒に鋳込み成型材１０に埋め込まれている。鋳込み成型材１０はポットコア８１の内部空間にも延在されておりかつポットコア８１の２つの半部８１１，８１２間のギャップを充填する。ポットコア８１は電気的に高度に絶縁性のニッケル−亜鉛−フェライトから成っている。
【００２０】
支持プレート９にマウント回路板１１が装着されている。鋳込み成型材１０から突出している２つの金属のコンタクトピン９０がそれぞれ、マウント回路板１１上の電気的なコンタクトに接続されている。マウント回路板１１はパルス点弧装置として実現されている、高圧放電ランプ１の点弧装置の別の電気的な部品１２を具備している。これら部品および変圧器８並びにランプ１の電圧供給は、ソケットとして実現されている電気的な接続部７１を介して行われる。電気的な部品１２は実質的に火花区間および該火花区間を介するフラッシュオーバ電圧の形成のための点弧コンデンサ並びに場合によっては更に別の部品である。この形式のパルス点弧装置の構成は例えば援用した従来技術に開示されている。
【００２１】
変圧器８の２次巻き線８３は、変圧器８の巻き型８５に多層に巻回されている銅ストリップ８４から成っている。どの層も２次巻き線８３の巻きを形成している。２次巻き線８３の隣接する層もしくは巻きの電気的なアイソレーションのために、２次巻き線８３の個々の層もしくは巻きの間に配置されている、ＰＥＮ（polyethylene naphthalate）から成る合成樹脂ストリップが用いられる。合成樹脂ストリップ８６および銅ストリップ８４は変圧器８を形成するために上下に置かれているので、比較的幅広の合成樹脂ストリップ８６は銅ストリップを２つの長手縁で突出している。引き続いて２つのストリップ８４，８６は巻き型８５に共通に巻き取られている。２次巻き線８３の、高電圧を導く端部８３１は巻き型８５上の、内側の巻きもしくは第１の、内側の層に接続されている。銅ストリップ８４は６ｍｍの幅および５０μｍの厚さを有している。合成樹脂ストリップ８６は８ｍｍの幅および８μｍの厚さを有している。２次巻き線８３は、巻き型８５の周りに１７０層において配置されている１７０巻きを有している。２次巻き線８３には、０．２ｍｍの厚さおよび１．６ｍｍの幅を有する別の銅ストリップの２．５巻きから成っている１次巻き線８２が巻回されている。１次巻き線８２の２．５巻きは、巻き型８５上の２次巻き線８３の上に１層において並んで配置されている。ポットコア８１は有利には２つの中空シリンダ部分８１１０および８１２０の間に配置されているギャップを有している。ポットコア８１の２つの半部８１１，８１２は有利には直接、ギャップなしに上下に配置されており、その場合にはお互いの外壁が接触している。１次巻き線８２の端部８２１は有利には、ポットコア８１の外壁の貫通孔を通って外部に導かれている。
【００２２】
ランプ容器２，３とは反対側の、ランプベース７のケーシングの下部は変圧器８および上に部品１２がコンタクト形成されているマウント回路板１１をランプベース７に挿入することができるようにするためにカバーとして実現されている。ランプベース７は、上に挙げた従来技術に開示されているように、ランプの電磁適合性を改善するために、アース基準電位にある金属ケーシング（図示されていない）によって取り囲まれていてよい。
【００２３】
本発明は上に詳細に説明した実施例に制限されていない。例えば本発明の変圧器のフェライトコアは任意の幾何学形状を有していることができかつポットコアとして実現されている必要はない。フェライトコアが例えばニッケル−亜鉛フェライトのような高絶縁性の材料から成っているときには巻き型８５を省略することができる。この場合、２次巻き線８３はロッドに直接巻回することができる。巻回過程後に２次巻き線８３はロッドから取り外しかつ中空シリンダ部分８１１０に装着することができる。
【００２４】
本発明の高圧放電ランプは有利な実施形態による変圧器を必ずしも備えている必要はなく、ランプベース内に、十分な変圧比を有していて、必要な点弧電圧を生成しかつ単数もしくは複数の２次巻き線が有利には０．５オーム以下（≦０．５Ω）の直流電流抵抗を有している任意の変圧器を含んでいることができる。
【図面の簡単な説明】
【００２５】
【図１】一部が断面で略示されている、本発明の有利な実施例の、ランプベースに配置されている変圧器を有する高圧放電ランプの側面略図
【図２】図１に図示のランプベースおよびランプの長手軸線に対して垂直である平面における変圧器の断面略図
【図３】図１に図示の変圧器の２次巻き線を構成している、銅ストリップおよび合成樹脂ストリップの平面略図
【図４】図３に図示の銅ストリップおよび合成樹脂ストリップの側面略図
【図５】図１に図示の変圧器のフェライトコアの２つの半部および巻き型の分解略図
【図６】本発明の変圧器（曲線Ａ）および従来の変圧器（曲線Ｂ）を有する水銀レスメタルハライド高圧放電ランプに対する、点弧装置に発生する損失電力の時間経過の線図（曲線Ａおよび曲線Ｂ）並びに従来の変圧器を有する水銀含有メタルハライド高圧放電ランプに対する、点弧装置に発生する損失電力の時間経過の線図（曲線Ｃ）
【図７】水銀レスメタルハライド高圧放電ランプに対する（曲線Ｄ）および水銀含有メタルハライド高圧放電ランプに対する（曲線Ｅ）消費電力の時間経過の線図
【図８】水銀レスメタルハライド高圧放電ランプに対する（曲線Ｆ）および水銀含有メタルハライド高圧放電ランプに対する（曲線Ｇ）動作電圧の時間経過の線図
【図９】水銀レスメタルハライド高圧放電ランプに対する（曲線Ｄ）および水銀含有メタルハライド高圧放電ランプに対する（曲線Ｅ）ランプ電流の時間経過の線図
【符号の説明】
【００２６】
１  ランプ、  ２  外管、  ３  発光管、  ３１  発光管のベース側の端部、  ４，５  電極、  ４１，５１  電流供給線、  ５２  電流戻し線、  ６  フランジ、  ７  ベース、  ７１  電気的な接続部、  ８  変圧器、  ８１  ポットコアとして形成されていてよいフェライトコア、  ８１１０  シリンダ状部分、  ８２  １次巻き線、  ８２２  １次巻き線の端部、  ８３  ２次巻き線、  ８３１  ２次巻き線の第１の端部、  ８３２  ２次巻き線の高電圧を導く端部、  ８４  銅ストリップとして形成されていてよい金属ストリップ、  ８５  巻き型、  ８６  合成樹脂ストリップとして形成されていてよい電気的に絶縁性の材料、  ８１１，８１２  コア半部、  ９  支持プレート、  ９０  コンタクトピン、  １０  鋳込み成型材、  １１  回路板、  １２  点弧装置の別の電気的な部品
【図１】
2006080532.tif 000003
【図２】
2006080532.tif 000004
【図３】
2006080532.tif 000005
【図４】
2006080532.tif 000006
【図５】
2006080532.tif 000007
【図６】
2006080532.tif 000008
【図７】
2006080532.tif 000009
【図８】
2006080532.tif 000010
【図９】
2006080532.tif 000011